(57)【要約】【課題】据置き姿勢と天吊り姿勢とのいずれにおいても発光管の上部と下部との温度差を抑え長寿命化が図られた光源装置およびプロジェクターを提供する。【解決手段】光源装置１０は、発光管２０と、リフレクター３０と、リフレクター３０を保持する保持部材４０とを備えた光源装置であって、保持部材４０は発光管２０を冷却するための冷却風を導入する吸気口４１と、吸気口４１から発光管２０の上方側と下方側とに分岐して設けられ冷却風を流通可能な流路４２ａ，４２ｂと、吸気口４１と流路４２ａ，４２ｂとの分岐部に設けられ流路４２ａ，４２ｂのうち発光管２０の上方側に位置する流路に選択的に冷却風を流入させる切替機構５０と、切替機構５０よりも下流側に設けられ流路４２ａ，４２ｂのうち発光管２０の下方側に位置する流路を閉塞する開閉機構５３ａ，５３ｂと、を備える。【選択図】図２
2011203515.tif 000002
【特許請求の範囲】
【請求項１】
光束を射出する発光管と、
前記発光管が固定され、前記光束を反射するリフレクターと、
前記リフレクターを保持する保持部材と、を備えた光源装置であって、
前記保持部材は、
前記発光管を冷却するための冷却風を導入する吸気口と、
前記吸気口から前記発光管の上方側と下方側とに分岐して設けられ、前記冷却風を流通可能な一対の流路と、
前記吸気口と前記一対の流路との分岐部に設けられ、前記一対の流路のうち前記発光管の上方側に位置する前記流路に選択的に前記冷却風を流入させる切替機構と、
前記切替機構よりも前記冷却風の下流側に設けられ、前記一対の流路のうち前記発光管の下方側に位置する前記流路を閉塞する開閉機構と、を備えていることを特徴とする光源装置。
【請求項２】
請求項１に記載の光源装置であって、
前記開閉機構は、一端が前記流路の内壁に枢支されたシャッターを有し、
前記シャッターの前記一端と他端との距離は、前記流路の延在方向と直交する方向における内径よりも大きいことを特徴とする光源装置。
【請求項３】
請求項１または２に記載の光源装置であって、
前記開閉機構が前記切替機構と一体に形成されていることを特徴とする光源装置。
【請求項４】
請求項３に記載の光源装置であって、
前記各流路には、前記流路の延在方向と略直交する方向に窪んだ凹部が設けられ、
前記開閉機構は、前記流路を開放した状態において前記凹部に収納されることを特徴とする光源装置。
【請求項５】
請求項１から４のいずれか一項に記載の光源装置と、
前記光源装置から射出された光束を変調する電気光学変調装置と、
前記電気光学変調装置からの変調光を投写する投写レンズと、を備えていることを特徴とするプロジェクター。
【発明の詳細な説明】
【技術分野】
【０００１】
本発明は、光源装置およびプロジェクターに関する。
【背景技術】
【０００２】
プロジェクターに用いる光源装置においては、発光管の冷却が必要とされる。発光管は、熱対流等の影響により、下部（重力に対する下方側）よりも上部（重力に対する上方側）における温度上昇が大きく、上部と下部とで温度差が生じやすい。そのため、冷却が不足して発光管の上部において温度が上がり過ぎると、発光管の基材が再結晶化することにより白濁が起きてしまう。
【０００３】
一方、冷却が過剰になって発光管の下部において温度が下がり過ぎると、電極の基材のハロゲンサイクルが正常に行われず発光管の内壁に付着することにより黒化が起きてしまう。白濁や黒化が起きるとその部分が失透し、発光管から射出される光量が低下するとともに、発光管の温度が上昇して発光管の破損や劣化を招くこととなる。したがって、発光管を冷却する際は、上部と下部とで温度差が生じないように、下部よりも上部を効率的に冷却することが望ましい。
【０００４】
ところで、プロジェクターには、机上等に載置して使用する据置き姿勢と、据置き姿勢から上下反転させた状態で天井等から吊り下げて使用する天吊り姿勢との２通りの姿勢で使用するものがある。このようなプロジェクターにおいて、据置き姿勢で使用した場合と天吊り姿勢で使用した場合とのいずれにおいても、発光管の上方側から下方側に向かう下降気流を形成し、発光管の上部が効率的に冷却されるようにする構成が提案されている（例えば、特許文献１参照）。
【０００５】
特許文献１に記載のプロジェクターでは、一端部が回動自在に枢支され上下反転動作によって開閉するシャッターを有する開閉装置により、保持部材（光源ランプ筐体）における発光管の上方側と下方側とに設けられた第１流路および第２流路が選択的に開閉される。上下反転して下方側となる流路では、上下反転動作に伴う重力作用によってシャッターが自重で回動して垂下し、その流路が閉じるようになっている。これにより、据置き姿勢と天吊り姿勢とのいずれにおいても、発光管の上方側の流路が開くとともに下方側の流路が閉じて、リフレクター内に発光管を冷却するための下降気流が形成される。
【先行技術文献】
【特許文献】
【０００６】
【特許文献１】特許第４２８１４２９号公報
【発明の概要】
【発明が解決しようとする課題】
【０００７】
しかしながら、流路内でシャッターを回動自在とするためには、流路の内壁とシャッターとの間にある程度の隙間を必要とする。このような隙間からシャッターが閉じた下方側の流路に冷却風が漏れて流入すると、上方側の流路に導入される冷却風の量がその分減少する。そのため、下方側の流路に流入した冷却風が流通して発光管下部の冷却が過剰となり、一方で発光管上部の冷却が不足することにより、発光管の上部と下部とで温度差が生じ、発光管の破損や劣化を招くおそれがあるという課題があった。
【課題を解決するための手段】
【０００８】
本発明は、上述の課題の少なくとも一部を解決するためになされたものであり、以下の形態または適用例として実現することが可能である。
【０００９】
［適用例１］本適用例に係る光源装置は、光束を射出する発光管と、前記発光管が固定され、前記光束を反射するリフレクターと、前記リフレクターを保持する保持部材と、を備えた光源装置であって、前記保持部材は、前記発光管を冷却するための冷却風を導入する吸気口と、前記吸気口から前記発光管の上方側と下方側とに分岐して設けられ、前記冷却風を流通可能な一対の流路と、前記吸気口と前記一対の流路との分岐部に設けられ、前記一対の流路のうち前記発光管の上方側に位置する前記流路に選択的に前記冷却風を流入させる切替機構と、前記切替機構よりも前記冷却風の下流側に設けられ、前記一対の流路のうち前記発光管の下方側に位置する前記流路を閉塞する開閉機構と、を備えていることを特徴とする。
【００１０】
この構成によれば、切替機構により一対の流路のうち発光管の上方側に位置する流路に選択的に冷却風が流入するので、発光管の上方側から下方側に向かう冷却風の下降気流が形成される。また、切替機構よりも冷却風の下流側に設けられた開閉機構により発光管の下方側に位置する流路が閉塞されるので、切替機構の隙間から冷却風が漏れて下方側に位置する流路に流入した場合でも、その流路における冷却風の流通が抑えられる。このため、発光管の上部が効率的に冷却されるとともに下部の過剰な冷却が抑制されるので、発光管の上部と下部との温度差が生じ難くなる。これにより、発光管の破損や劣化が抑えられた光源装置を提供できる。
【００１１】
［適用例２］上記適用例に係る光源装置であって、前記開閉機構は、一端が前記流路の内壁に枢支されたシャッターを有し、前記シャッターの前記一端と他端との距離は、前記流路の延在方向と直交する方向における内径よりも大きいことが好ましい。
【００１２】
この構成によれば、シャッターの一端と他端との距離は、流路の延在方向と直交する方向における内径よりも大きい。このため、開閉機構により流路を閉塞する際、シャッターが流路内で回動してその流路の延在方向と直交する位置関係となる前に、シャッターの他端が流路の内壁に接触して流路が閉塞される。これにより、切替機構の隙間から冷却風が漏れて下方に位置する流路に流入した場合でも、その流路における冷却風の流通をより確実に抑えることができる。また、閉塞された流路を開放する際、上下反転する方向にかかわらず、シャッターを所定の側に回動させることができる。
【００１３】
［適用例３］上記適用例に係る光源装置であって、前記開閉機構が前記切替機構と一体に形成されていることが好ましい。
【００１４】
この構成によれば、開閉機構が切替機構と一体に形成されているので、冷却風の下降気流を形成する機構をより簡易な構成で実現することができる。
【００１５】
［適用例４］上記適用例に係る光源装置であって、前記各流路には、前記流路の延在方向と略直交する方向に窪んだ凹部が設けられ、前記開閉機構は、前記流路を開放した状態において前記凹部に収納されることが好ましい。
【００１６】
この構成によれば、流路を開放した状態において、開閉機構が流路に設けられた凹部に収納されるので、開閉機構により流路が狭くなることや流通する冷却風の流れが妨げられることが抑えられる。
【００１７】
［適用例５］本適用例に係るプロジェクターは、上記に記載の光源装置と、前記光源装置から射出された光束を変調する電気光学変調装置と、前記電気光学変調装置からの変調光を投写する投写レンズと、を備えていることを特徴とする。
【００１８】
この構成によれば、発光管の破損や劣化が抑えられた光源装置を備えたプロジェクターを提供できる。
【図面の簡単な説明】
【００１９】
【図１】第１の実施形態に係るプロジェクターの概略構成を示す図。
【図２】第１の実施形態に係る光源装置の概略構成を示す図。
【図３】第１の実施形態に係る光源装置における冷却風の流れを示す図。
【図４】第１の実施形態に係る光源装置における冷却風の流れを示す図。
【図５】第２の実施形態に係る光源装置の概略構成および冷却風の流れを示す図。
【図６】第３の実施形態に係る光源装置の概略構成を示す図。
【図７】変形例１に係る光源装置の概略構成を示す図。
【発明を実施するための形態】
【００２０】
以下に、本実施の形態について図面を参照して説明する。なお、参照する各図面において、構成をわかりやすく示すため、各構成要素の寸法の比率、角度等は適宜異ならせてある。
【００２１】
（第１の実施形態）
＜プロジェクター＞
まず、第１の実施形態に係るプロジェクターについて、図１を参照して説明する。図１は、第１の実施形態に係るプロジェクターの概略構成を示す図である。
【００２２】
第１の実施形態に係るプロジェクター１０００は、図１に示すように、照明装置１００と、色分離導光光学系２００と、３つのフィールドレンズ３００Ｒ，３００Ｇ，３００Ｂと、電気光学変調装置としての３つの液晶装置４００Ｒ，４００Ｇ，４００Ｂと、クロスダイクロイックプリズム５００と、投写レンズ６００と、冷却ファン７００とを備えたプロジェクターである。
【００２３】
照明装置１００は、光源装置１０と、凹レンズ９０と、複数の第１小レンズ１２２を有する第１レンズアレイ１２０と、複数の第２小レンズ１３２を有する第２レンズアレイ１３０と、偏光変換素子１４０と、重畳レンズ１５０とを備えている。
【００２４】
光源装置１０は、発光管２０と、リフレクター３０とを備えている。リフレクター３０は、例えば、照明光軸ＯＣ上に第１焦点と第２焦点とを有する回転楕円面の一部である反射面３１（図２（ａ）および（ｂ）参照）を有する。また、リフレクター３０の第１焦点は、発光管２０の管球部２１（図２（ａ）および（ｂ）参照）内に位置する。光源装置１０は、リフレクター３０の第２焦点に向かって集束する照明光束を射出する。
【００２５】
光源装置１０は、発光管２０が寿命となった場合等に、ユーザーが取り替え可能なように構成されている。光源装置１０において、被照明領域側とは反対側を背面側とする。光源装置１０の詳細構成については後述する。
【００２６】
凹レンズ９０は、光源装置１０の被照明領域側に配置されている。凹レンズ９０は、光源装置１０からの集束光を略平行光として、第１レンズアレイ１２０に向けて射出する。第１レンズアレイ１２０は、凹レンズ９０から射出される照明光束を複数の部分光束に分割する光束分割光学素子としての機能を有する。第１レンズアレイ１２０は、照明光軸ＯＣと略直交する面内にマトリクス状に配列される複数の第１小レンズ１２２を備えている。図示による説明は省略するが、第１小レンズ１２２の外形形状は、液晶装置４００Ｒ，４００Ｇ，４００Ｂの画像形成領域の外形形状に関して相似形である。
【００２７】
第２レンズアレイ１３０は、上述した第１レンズアレイ１２０により分割された複数の部分光束を集光するための光学素子である。第２レンズアレイ１３０は、第１レンズアレイ１２０の複数の第１小レンズ１２２に対応して、照明光軸ＯＣに略直交する面内にマトリクス状に配列される複数の第２小レンズ１３２を備えている。
【００２８】
偏光変換素子１４０は、第２レンズアレイ１３０からの各部分光束を、偏光方向の揃った略１種類の直線偏光に変換して射出する偏光変換素子である。偏光変換素子１４０は、光源装置１０からの照明光束に含まれる偏光成分のうち一方の直線偏光成分をそのまま透過し、他方の直線偏光成分を照明光軸ＯＣに垂直な方向に反射する偏光分離層と、偏光分離層で反射された他方の直線偏光成分を照明光軸ＯＣに平行な方向に反射する反射層と、反射層で反射された他方の直線偏光成分を一方の直線偏光成分に変換する位相差板とを有している。
【００２９】
重畳レンズ１５０は、第１レンズアレイ１２０、第２レンズアレイ１３０、および偏光変換素子１４０を経て射出される複数の部分光束を液晶装置４００Ｒ，４００Ｇ，４００Ｂの画像形成領域近傍に重畳させるための光学素子である。なお、重畳レンズ１５０は、図１では１枚のレンズとして図示されているが、複数のレンズを組み合わせた複合レンズで構成されていてもよい。
【００３０】
色分離導光光学系２００は、ダイクロイックミラー２１０，２２０と、反射ミラー２３０，２４０，２５０と、入射側レンズ２６０と、リレーレンズ２７０とを有している。色分離導光光学系２００は、照明装置１００から射出される照明光束を赤色光、緑色光、および青色光の３つの色光に分離して、それぞれの色光を照明対象となる液晶装置４００Ｒ，４００Ｇ，４００Ｂに導く機能を有している。
【００３１】
ダイクロイックミラー２１０，２２０は、基板上に所定の波長領域の光束を反射し、他の波長領域の光束を透過する波長選択膜が形成された光学素子である。光路前段に配置されるダイクロイックミラー２１０は、赤色光成分を反射し、その他の色光成分を透過するミラーである。光路後段に配置されるダイクロイックミラー２２０は、緑色光成分を反射し、青色光成分を透過するミラーである。
【００３２】
ダイクロイックミラー２１０で反射された赤色光成分は、反射ミラー２３０により曲折され、フィールドレンズ３００Ｒを介して赤色光用の液晶装置４００Ｒの画像形成領域に入射する。フィールドレンズ３００Ｒは、重畳レンズ１５０からの各部分光束を各主光線に対して略平行な光束に変換するために設けられている。他の液晶装置４００Ｇ，４００Ｂの光路前段に配設されるフィールドレンズ３００Ｇ，３００Ｂも、フィールドレンズ３００Ｒと同様に構成されている。
【００３３】
ダイクロイックミラー２１０を通過した緑色光成分および青色光成分のうち緑色光成分は、ダイクロイックミラー２２０によって反射され、フィールドレンズ３００Ｇを通過して緑色光用の液晶装置４００Ｇの画像形成領域に入射する。一方、青色光成分は、ダイクロイックミラー２２０を透過し、入射側レンズ２６０、入射側の反射ミラー２４０、リレーレンズ２７０、射出側の反射ミラー２５０、およびフィールドレンズ３００Ｂを通過して青色光用の液晶装置４００Ｂの画像形成領域に入射する。入射側レンズ２６０、リレーレンズ２７０、および反射ミラー２４０，２５０は、ダイクロイックミラー２２０を透過した青色光成分を液晶装置４００Ｂまで導く機能を有している。
【００３４】
なお、青色光の光路にこのような入射側レンズ２６０、リレーレンズ２７０、および反射ミラー２４０，２５０が設けられているのは、青色光の光路の長さが他の色光の光路の長さよりも長いため、光の発散等による光の利用効率の低下を防止するためである。第１の実施形態に係るプロジェクター１０００においては、青色光の光路の長さが長いのでこのような構成とされているが、赤色光の光路の長さを長くして、入射側レンズ２６０、リレーレンズ２７０、および反射ミラー２４０，２５０を赤色光の光路に用いる構成としてもよい。
【００３５】
液晶装置４００Ｒ，４００Ｇ，４００Ｂは、色分離導光光学系２００で分離された３つの色光のそれぞれを画像情報に応じて変調するものであり、照明装置１００の照明対象となっている。図示を省略するが、各フィールドレンズ３００Ｒ，３００Ｇ，３００Ｂと各液晶装置４００Ｒ，４００Ｇ，４００Ｂとの間には、それぞれ入射側偏光板が配置され、各液晶装置４００Ｒ，４００Ｇ，４００Ｂとクロスダイクロイックプリズム５００との間には、それぞれ射出側偏光板が配置されている。
【００３６】
これら入射側偏光板、液晶装置４００Ｒ，４００Ｇ，４００Ｂ、および射出側偏光板によって、入射する各色光の光変調が行われる。液晶装置４００Ｒ，４００Ｇ，４００Ｂは、一対の透明なガラス基板に電気光学物質である液晶を密閉封入したものである。液晶装置４００Ｒ，４００Ｇ，４００Ｂは、例えば、ポリシリコンＴＦＴをスイッチング素子として、与えられた画像信号に応じて、入射側偏光板から射出された１種類の直線偏光の偏光方向を変調する。
【００３７】
クロスダイクロイックプリズム５００は、３つの液晶装置４００Ｒ，４００Ｇ，４００Ｂによって変調され、射出側偏光板から射出された色光毎に変調された光学像を合成してカラー画像を形成する光学素子である。クロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光および青色光は曲折され、緑色光の進行方向と揃えられることにより、３つの色光が合成される。
【００３８】
投写レンズ６００は、クロスダイクロイックプリズム５００によって合成されたカラー画像を、スクリーンＳＣＲ等の投写面に拡大投写する。これにより、スクリーンＳＣＲ等の投写面上に画像が形成される。
【００３９】
冷却ファン７００は、光源装置１０の吸気口４１（図２（ａ）参照）に対向するように配置されている。冷却ファン７００は、光源装置１０の発光管２０を冷却するための空気（以下では冷却風とも呼ぶ）を送風する。冷却ファン７００は、例えば、シロッコファンで構成される。
【００４０】
プロジェクター１０００は、据置き姿勢と、据置き姿勢から上下反転させた天吊り姿勢との双方において画像を投写可能なプロジェクターである。
【００４１】
＜光源装置＞
次に、第１の実施形態に係る光源装置について、図２を参照して説明する。図２は、第１の実施形態に係る光源装置の概略構成を示す図である。詳しくは、図２（ａ）は光源装置１０を照明光軸ＯＣに垂直で封止部２２ａを通る平面で切断した時の被照明領域側から見た断面図である。また、図２（ｂ）は、図２（ａ）において照明光軸ＯＣを含み重力方向に沿う平面で切断したときの断面図である。
【００４２】
ここでは、プロジェクター１０００を据置き姿勢で使用する場合を例にとり説明する。図２（ａ）および（ｂ）における光源装置１０の配置はプロジェクター１０００の据置き姿勢に対応しており、重力方向は図の上方から下方に向かう方向である。
【００４３】
第１の実施形態に係る光源装置１０は、図２（ａ）および（ｂ）に示すように、発光管２０と、リフレクター３０と、保持部材４０と、切替機構５０と、一対の開閉機構５３ａ，５３ｂとを備えている。
【００４４】
発光管２０は、管球部２１と、一対の封止部２２ａ，２２ｂ（図２（ｂ）参照）と、一対の電極（図示省略）と、一対の金属箔（図示省略）と、一対のリード線（図示省略）とを有している。発光管２０としては、高輝度発光する種々の発光管を採用でき、例えば、高圧水銀ランプ、超高圧水銀ランプ、メタルハライドランプ等を採用できる。
【００４５】
封止部２２ａ，２２ｂは、管球部２１から両側に照明光軸ＯＣに沿って延在している。封止部２２ａは管球部２１の被照明領域側に配置されており、封止部２２ｂは管球部２１の背面側に配置されている。管球部２１および封止部２２ａ，２２ｂは、例えば石英ガラスからなり、一体に形成されている。管球部２１内には、例えば、水銀、希ガスおよび少量のハロゲンが封入されている。
【００４６】
一対の電極は、管球部２１内に封入された一端部同士が互いに対向するように配置されている。電極は、例えば、タングステン等の金属からなる。一対の金属箔は、封止部２２ａ，２２ｂ内に封止されており、一対の電極と一対のリード線とに電気的に接続されている。金属箔は、例えば、モリブデン等の金属からなる。リード線は、例えば、モリブデン、タングステン等の金属からなる。一対のリード線に電圧が印加されると、一対の電極間に電位差が発生し、管球部２１内で放電が生じてアーク像が生成される。
【００４７】
発光管２０は発光することで発熱するが、熱対流等の影響により下部よりも上部の温度上昇が大きく、特に管球部２１の上部表面付近の温度が上昇し易い。そのため、発光管２０を冷却する際は、管球部２１の上部側から冷却し、上部と下部とで温度差が生じないようにすることが望ましい。
【００４８】
リフレクター３０は、図２（ｂ）に示すように、発光管２０に対向する内面側に反射面３１を有する反射部３２と、反射部３２の背面側に接続された基部３４とを有している。反射部３２と基部３４とは一体に形成されている。また、リフレクター３０は、反射面３１で囲まれたリフレクター空間部３６を有している。リフレクター３０の基材の材料としては、例えば、結晶化ガラスやアルミナ（Ａｌ2Ｏ3）等を好適に用いることができる。
【００４９】
反射部３２は、楕円面を照明光軸ＯＣを回転中心軸として回転させた楕円球の略１／２の形状を有している。反射部３２は、発光管２０に対して、第１焦点近傍に管球部２１が位置するように配置されている。反射部３２は、反射面３１において、管球部２１から射出された光を被照明領域側の第２焦点位置に向けて反射する。反射面３１には、例えば、酸化チタン（ＴｉＯ2）と酸化シリコン（ＳｉＯ2）との誘電体多層膜からなる可視光反射層が形成されている。なお、リフレクター３０は、断面が放物線状の反射面３１を有していてもよい。
【００５０】
基部３４には挿入孔が形成されており、この挿入孔に封止部２２ｂが挿通されている。基部３４と封止部２２ｂとの間には接着剤Ｃが充填されており、接着剤Ｃによってリフレクター３０と発光管２０とが互いに固着されている。接着剤Ｃとして、例えば、シリカ系やアルミナ系の無機接着剤を用いることができる。
【００５１】
保持部材４０は、リフレクター３０の被照明領域側に設けられている。保持部材４０は、リフレクター３０の被照明領域側の外周を囲むように配置されており、リフレクター３０を保持している。保持部材４０は、例えば、耐熱性の合成樹脂材料等により一体成型されている。保持部材４０には、反射面３１と対向する側の中央に開口部が設けられており、この開口部において凹レンズ９０が保持されている。
【００５２】
図２（ａ）に示すように、保持部材４０には、冷却ファン７００（図１参照）から送風された冷却風を導入する吸気口４１と、その冷却風を流通可能な一対の流路４２ａ，４２ｂと、流路４２ａ，４２ｂからリフレクター空間部３６に冷却風を導入する一対の開口部４３ａ，４３ｂと、発光管２０を冷却した冷却風をリフレクター空間部３６から排出する排気口４４とが設けられている。以下では、吸気口４１から排気口４４までの冷却風の流れの上流側を単に上流側と呼び、冷却風の流れの下流側を単に下流側と呼ぶ。
【００５３】
吸気口４１は、冷却ファン７００に対向するようにリフレクター３０の側方に設けられている。吸気口４１は、例えば、発光管２０に対して略同一の高さに配置されている。流路４２ａ，４２ｂは、吸気口４１から発光管２０の上方側と下方側とに分岐して設けられている。また、流路４２ａ，４２ｂは、被照明領域側から見て略Ｌ字状に設けられている。
【００５４】
据置き姿勢において、流路４２ａは、吸気口４１との分岐部からリフレクター３０の側方に上方に延在する部分と、リフレクター３０の上方に水平方向に沿って発光管２０の上方位置まで延在する部分とを有する。流路４２ｂは、吸気口４１との分岐部からリフレクター３０の側方に下方に延在する部分と、リフレクター３０の下方に水平方向に沿って発光管２０の下方位置まで延在する部分とを有する。
【００５５】
開口部４３ａは、流路４２ａの下流側の端部に配置され、発光管２０の上方側に位置している。開口部４３ｂは、流路４２ｂの下流側の端部に配置され、発光管２０の下方側に位置している。排気口４４は、リフレクター３０の側方に設けられており、吸気口４１とは発光管２０を間に挟んで反対側に配置されている。
【００５６】
切替機構５０は、吸気口４１から流路４２ａ，４２ｂに分岐する分岐部、すなわち流路４２ａ，４２ｂのそれぞれにおける上流側の端部に設けられている。切替機構５０は、板状のシャッター５１と、シャッター５１を回動自在に枢支するヒンジ５２とで構成される。ヒンジ５２は、流路４２ａ，４２ｂへの分岐部におけるリフレクター３０側の内壁に配置されている。
【００５７】
開閉機構５３ａ，５３ｂは、切替機構５０よりも下流側に設けられている。開閉機構５３ａは、流路４２ａにおけるリフレクター３０の上方に位置する部分に配置されている。開閉機構５３ｂは、流路４２ｂにおけるリフレクター３０の下方に位置する部分に配置されている。開閉機構５３ａは板状のシャッター５４ａとヒンジ５５ａとで構成され、開閉機構５３ｂは板状のシャッター５４ｂとヒンジ５５ｂとで構成される。
【００５８】
ヒンジ５５ａ，５５ｂは、それぞれ流路４２ａ，４２ｂにおけるリフレクター３０側の内壁に配置されている。シャッター５４ａ，５４ｂは、ヒンジ５５ａ，５５ｂによりそれぞれ回動自在に枢支される。シャッター５４ａ，５４ｂの長さ（ヒンジ５５ａ，５５ｂに枢支された一端と他端との距離）は、流路４２ａ，４２ｂの延在方向と直交する方向における内径よりも大きく設定されている。
【００５９】
シャッター５４ａ，５４ｂの板状の面が流路４２ａ，４２ｂにおけるヒンジ５５ａ，５５ｂが設けられた側の内壁に接した状態において、流路４２ａ，４２ｂが開放される。また、シャッター５４ａ，５４ｂの先端部（ヒンジ５５ａ，５５ｂに枢支された端部とは反対側）が流路４２ａ，４２ｂにおけるヒンジ５５ａ，５５ｂが設けられた側とは反対側の内壁に接した状態において、流路４２ａ，４２ｂが閉塞される。
【００６０】
シャッター５１，５４ａ，５４ｂは、図２（ａ）に実線で示す据置き姿勢における静止位置と、２点鎖線で示す天吊り姿勢における静止位置との範囲で回動する。天吊り姿勢では、図２（ａ）における各構成要素の位置関係が上下反転した状態となる。シャッター５１，５４ａ，５４ｂは、プロジェクター１０００を据置き姿勢から天吊り姿勢に上下反転させる際、およびその逆に上下反転させる際のいずれにおいても、重力作用によって自重で下方側に回動する。
【００６１】
切替機構５０では、シャッター５１の回動により、据置き姿勢において、流路４２ａが開くとともに流路４２ｂが閉じた状態となる。一方、天吊り姿勢においては、流路４２ａが閉じるとともに流路４２ｂが開いた状態となる。つまり、据置き姿勢と天吊り姿勢とのいずれにおいても、発光管２０の上方側に位置する流路が開くとともに、発光管２０の下方側に位置する流路が閉じる。これにより、切替機構５０は、据置き姿勢と天吊り姿勢とのいずれにおいても、流路４２ａ，４２ｂのうち発光管２０の上方側に位置する流路に選択的に冷却風を流通させる。
【００６２】
開閉機構５３ａ，５３ｂでは、シャッター５４ａ，５４ｂの回動により、据置き姿勢において、流路４２ａが開放されるとともに流路４２ｂが閉塞される。一方、天吊り姿勢においては、流路４２ｂが開放されるとともに流路４２ａが閉塞される。つまり、据置き姿勢と天吊り姿勢とのいずれにおいても、発光管２０の上方側に位置する流路が開放されるとともに、発光管２０の下方側に位置する流路が閉塞される。
【００６３】
したがって、流路４２ａ，４２ｂのうち発光管２０の下方側に位置する流路と切替機構５０との隙間から冷却風が漏れて流入した場合でも、開閉機構５３ａ，５３ｂにより下方に位置する流路が閉塞されるので冷却風の流通が抑えられる。なお、シャッター５１，５４ａ，５４ｂの重量は、プロジェクター１０００の筐体内に形成される冷却風等の流れによって回動（開閉）しないような重量に設定されている。
【００６４】
続いて、図３および図４を参照して、据置き姿勢および天吊り姿勢における冷却風の流れを説明する。図３および図４は、第１の実施形態に係る光源装置における冷却風の流れを示す図である。詳しくは、図３（ａ）および（ｂ）は据置き姿勢における冷却風の流れを示す図であり、図４（ａ）および（ｂ）は天吊り姿勢における冷却風の流れを説明する図である。
【００６５】
図３（ａ）に示すように、プロジェクター１０００の据置き姿勢においては、切替機構５０により、発光管２０の上方側に位置する流路４２ａが開くとともに発光管２０の下方側に位置する流路４２ｂが閉じる。また、開閉機構５３ａにより流路４２ａが開放されるとともに、開閉機構５３ｂにより流路４２ｂが閉塞される。
【００６６】
冷却ファン７００（図１参照）から送風された冷却風は、矢印で示すように、吸気口４１から発光管２０の上方側に位置する流路４２ａに導入され、流路４２ａを流通する。そして、流路４２ａを流通した冷却風は、開口部４３ａからリフレクター空間部３６に導入されて、発光管２０の上方側から下方側に向かう下降気流を形成する。
【００６７】
このとき、図３（ｂ）に矢印で示すように、冷却風は反射面３１に沿うようにリフレクター空間部３６内を下降する。この冷却風により、発光管２０の管球部２１が上方側から冷却される。発光管２０を冷却することで温められた冷却風は、図３（ａ）に示すように、反射面３１に沿うように排気口４４に向かい、排気口４４からリフレクター空間部３６外に排出される。
【００６８】
ここで、図３（ａ）に破線の矢印で示すように、冷却風が吸気口４１の内壁と切替機構５０との隙間から漏れて発光管２０の下方側に位置する流路４２ｂに流入する場合があり得る。冷却風が流路４２ｂを流通して開口部４３ｂからリフレクター空間部３６に導入された場合、冷却風は発光管２０の下方側から上方側に向かう上昇気流を形成することとなる。また、冷却風の漏れにより、上方側に位置する流路４２ａに導入される冷却風の量がその分減少する。そうすると、発光管２０の管球部２１が下方側から冷却され、発光管２０の下部の冷却が過剰となる一方で発光管２０の上部の冷却が不足してしまう。
【００６９】
これに対して、光源装置１０では、冷却風が吸気口４１の内壁と切替機構５０との隙間から流路４２ｂに漏れた場合でも、流路４２ｂが開閉機構５３ｂにより閉塞されているので冷却風の流通が抑えられ、その結果冷却風の流路４２ｂへの流入が抑えられる。したがって、冷却風が開口部４３ｂからリフレクター空間部３６に導入されないので、発光管２０の下方側から上方側に向かう上昇気流は形成されない。なお、リフレクター空間部３６を下降した冷却風が開口部４３ｂから流路４２ｂに流入した場合でも、流路４２ｂが開閉機構５３ｂにより閉塞されているので流路４２ｂを逆流することはない。
【００７０】
図４（ａ）および（ｂ）に示すように、プロジェクター１０００の天吊り姿勢においては、光源装置１０の各構成部材の位置関係における上下が据置き姿勢のときと反転する。つまり、流路４２ｂと開口部４３ｂと開閉機構５３ｂとが発光管２０の上方側に位置し、流路４２ａと開口部４３ａと開閉機構５３ａとが発光管２０の下方側に位置することとなる。
【００７１】
図４（ａ）に示すように、プロジェクター１０００の天吊り姿勢においては、切替機構５０により、発光管２０の上方側に位置する流路４２ｂが開くとともに発光管２０の下方側に位置する流路４２ａが閉じる。また、開閉機構５３ｂにより流路４２ｂが開放されるとともに、開閉機構５３ａにより流路４２ａが閉塞される。
【００７２】
冷却ファン７００から送風された冷却風は、矢印で示すように、吸気口４１から発光管２０の上方側に位置する流路４２ｂを流通し、開口部４３ｂからリフレクター空間部３６に導入されて、発光管２０の上方側から下方側に向かう下降気流を形成する。そして、冷却風は、図４（ｂ）に示すように、反射面３１に沿うように下降して発光管２０の管球部２１を上方側から冷却し、図４（ａ）に示すように、排気口４４からリフレクター空間部３６外に排出される。
【００７３】
また、破線の矢印で示すように、冷却風が吸気口４１の内壁と切替機構５０との隙間から漏れて流路４２ａに流入した場合でも、流路４２ａが開閉機構５３ａにより閉塞されているので冷却風の流通が抑えられる。これにより、天吊り姿勢においても、発光管２０の管球部２１が上方側から冷却される。
【００７４】
ここで、シャッター５４ａ，５４ｂの長さ（ヒンジ５５ａ，５５ｂに枢支された端部と先端部との距離）が流路４２ａ，４２ｂの延在方向と直交する方向における内径よりも大きく設定されている。このため、シャッター５４ａ，５４ｂの先端部が流路４２ａ，４２ｂの内壁に接触した状態で流路４２ａ，４２ｂが閉塞される。つまり、流路４２ａ，４２ｂが閉塞された状態において、シャッター５４ａ，５４ｂと流路４２ａ，４２ｂの延在方向とは直交する位置関係とならない。
【００７５】
これにより、流路４２ａ，４２ｂの内壁とシャッター５４ａ，５４ｂとの隙間をより小さく抑えることができる。また、プロジェクター１０００本体に傾きがある場合でも、シャッター５４ａ，５４ｂの先端部が流路４２ａ，４２ｂの内壁に接触した状態で流路４２ａ，４２ｂを閉塞できる。そして、流路４２ａ，４２ｂを閉じた状態からシャッター５４ａ，５４ｂが回動して開く際に、上下反転する回転方向にかかわらずシャッター５４ａ，５４ｂを所定の側に回動させることができる。
【００７６】
以上、第１の実施形態に係る光源装置１０の構成によれば、次の効果が得られる。
【００７７】
（１）据置き姿勢および天吊り姿勢のいずれにおいても、切替機構５０により一対の流路４２ａ，４２ｂのうち発光管２０の上方側に位置する流路に選択的に冷却風が導入されるので、発光管２０の上方側から下方側に向かう下降気流が形成される。また、流路４２ａ，４２ｂ内に設けられた開閉機構５３ａ，５３ｂにより、発光管２０の下方側に位置する流路が閉塞されるので、切替機構５０の隙間から冷却風が漏れても、下方側に位置する流路における冷却風の流通が抑えられる。
【００７８】
このため、発光管２０の上部が効率的に冷却されるとともに下部の過剰な冷却が抑制されるので、発光管２０の上部と下部との温度差が生じ難くなる。これにより、発光管２０の破損を抑え長寿命化が図られた光源装置１０、およびこのような光源装置１０を備えたプロジェクター１０００を提供できる。
【００７９】
（２）シャッター５４ａ，５４ｂの長さが流路４２ａ，４２ｂの延在方向と直交する方向における内径よりも大きく設定されているので、プロジェクター１０００本体に傾きがある場合も含め、流路４２ａ，４２ｂの内壁とシャッター５４ａ，５４ｂとの隙間をより小さく抑えて流路４２ａ，４２ｂを閉塞することができる。
【００８０】
なお、光源装置１０は、管球部２１の被照明領域側に配置され、管球部２１から射出される光を管球部２１（リフレクター３０の反射面３１）へ向けて反射する副鏡をさらに備えていてもよい。
【００８１】
（第２の実施形態）
＜光源装置＞
次に、第２の実施形態に係る光源装置について、図５を参照して説明する。第２の実施形態に係る光源装置は、第１の実施形態に係る光源装置に対して、開閉機構が切替機構と一体である点が異なっているが、その他の構成はほぼ同じである。
【００８２】
図５は、第２の実施形態に係る光源装置の概略構成および冷却風の流れを示す図である。詳しくは、図５（ａ）は据置き姿勢における光源装置を被照明領域側から見た図であり、図５（ｂ）は天吊り姿勢における光源装置を被照明領域側から見た図である。なお、第１の実施形態と共通する構成要素については、同一の符号を付しその説明を省略する。
【００８３】
第２の実施形態に係る光源装置１２は、図５（ａ）および（ｂ）に示すように、発光管２０と、リフレクター３０と、保持部材４０Ａと、切替機構および開閉機構としての回動機構７０とを備えている。
【００８４】
保持部材４０Ａには、吸気口４１と、接続部４５ａ，４５ｂと、流路４２ａ，４２ｂと、開口部４３ａ，４３ｂと、排気口４４とが設けられている。接続部４５ａは吸気口４１と流路４２ａとを接続する部分であり、接続部４５ｂは吸気口４１と流路４２ｂとを接続する部分である。したがって、流路４２ａ，４２ｂは吸気口４１から接続部４５ａ，４５ｂを介して分岐している。接続部４５ａ，４５ｂは、流路４２ａ，４２ｂとの間に壁部４６ａ，４６ｂを有している。
【００８５】
回動機構７０は、吸気口４１から分岐する分岐部、すなわち接続部４５ａ，４５ｂの間の略中央部に設けられている。回動機構７０は、板状のシャッター７１，７２と、シャッター７１，７２を回動自在に枢支するヒンジ７３とで構成される。ヒンジ７３は、接続部４５ａ，４５ｂの略中央部におけるリフレクター３０側の内壁に配置されている。
【００８６】
シャッター７１，７２は、被照明領域側から見てＶ字状に一体で形成されている。シャッター７１，７２は、ヒンジ７３に枢支された端部同士が一体になっており、先端部（ヒンジ７３に枢支された端部とは反対側）に向かって所定の角度で開いた形状を有している。シャッター７１，７２の長さ（ヒンジ７３に枢支された端部と先端部との距離）は互いに略同一である。
【００８７】
接続部４５ａ，４５ｂにおけるヒンジ７３とは反対側の内壁は、シャッター７１，７２が回動可能なように、被照明領域側から見てヒンジ７３を中心とする円弧状となっている。壁部４６ａ，４６ｂとヒンジ７３との距離は、シャッター７１，７２の長さよりも短くなっている。シャッター７１，７２は、プロジェクター１０００を据置き姿勢から天吊り姿勢に上下反転させる際、およびその逆に上下反転させる際のいずれにおいても、重力作用によって下方側に回動する。
【００８８】
シャッター７１，７２は、図５（ａ）に実線で示す静止位置と２点鎖線で示す静止位置との範囲で回動自在となっている。実線は据置き姿勢においてシャッター７２が壁部４６ｂに接する位置であり、２点鎖線は天吊り姿勢においてシャッター７１が壁部４６ａに接する位置である。シャッター７１，７２の回動により、据置き姿勢と天吊り姿勢とのいずれにおいても、シャッター７１，７２のうち、上方（上流側）に位置するシャッターにより流路が切り替えられるとともに、下方（下流側）に位置するシャッターにより下方側に位置する流路が閉塞される。
【００８９】
このように、シャッター７１，７２は据置き姿勢と天吊り姿勢とでその役割が入れ替わり、いずれの姿勢においても、上方に位置するシャッターが切替機構の役割を果たし、下方に位置するシャッターが開閉機構の役割を果たす。また、シャッター７１，７２が一体で形成されているので、据置き姿勢から天吊り姿勢に上下反転させる際、およびその逆に上下反転させる際に、切替機構と開閉機構とを同期して動作させることができる。
【００９０】
図５（ａ）に実線で示すように、据置き姿勢においては、切替機構としてのシャッター７１により流路４２ａが開くとともに流路４２ｂが閉じた状態となる。また、開閉機構としてのシャッター７２により流路４２ｂが閉塞される。これにより、冷却風は、吸気口４１から発光管２０の上方側に位置する流路４２ａを流通し、発光管２０の上方側から下方側に向かう下降気流を形成する。
【００９１】
図５（ｂ）に示すように、天吊り姿勢においては、切替機構としてのシャッター７２により流路４２ｂが開き流路４２ａが閉じた状態となる。また、開閉機構としてのシャッター７１により流路４２ａが閉塞される。これにより、冷却風は、吸気口４１から発光管２０の上方側に位置する流路４２ｂを流通し、発光管２０の上方側から下方側に向かう下降気流を形成する。
【００９２】
第２の実施形態に係る光源装置１２の構成によれば、第１の実施形態に係る光源装置１０とほぼ同様の効果が得られる。また、１箇所に設けられた回動機構７０が開閉機構の役割と切替機構の役割とを果たすので、プロジェクター１０００の姿勢にかかわらず冷却風の下降気流を形成する機構を、より簡易な構成で実現することができる。
【００９３】
（第３の実施形態）
＜光源装置＞
次に、第３の実施形態に係る光源装置について、図６を参照して説明する。第３の実施形態に係る光源装置は、第１の実施形態に係る光源装置に対して、流路が開放された状態において開閉機構のシャッターが流路内壁に設けられた凹部に収納される点が異なっているが、その他の構成はほぼ同じである。
【００９４】
図６は、第３の実施形態に係る光源装置の概略構成を示す図である。詳しくは、図６は据置き姿勢における光源装置を被照明領域側から見た図である。なお、第１の実施形態と共通する構成要素については、同一の符号を付しその説明を省略する。
【００９５】
第３の実施形態に係る光源装置１４は、図６に示すように、発光管２０と、リフレクター３０と、保持部材４０Ｂと、切替機構５０と、開閉機構５３ａ，５３ｂとを備えている。
【００９６】
保持部材４０Ｂには、吸気口４１と、流路４２ａ，４２ｂと、開口部４３ａ，４３ｂと、排気口４４とが設けられている。流路４２ａのリフレクター３０側の内壁には、流路４２ａの延在方向と略直交する方向におけるリフレクター３０側に窪んだ凹部４８ａが設けられている。また、流路４２ｂのリフレクター３０側の内壁には、流路４２ｂの延在方向と略直交する方向におけるリフレクター３０側に窪んだ凹部４８ｂが設けられている。
【００９７】
開閉機構５３ａ，５３ｂのヒンジ５５ａ，５５ｂは、凹部４８ａ，４８ｂにそれぞれ配置されている。開閉機構５３ａ，５３ｂのシャッター５４ａ，５４ｂは、凹部４８ａ，４８ｂにそれぞれ収納可能となっている。開閉機構５３ａは、流路４２ａを開放した状態において凹部４８ａに収納される。また、開閉機構５３ｂは、流路４２ｂを開放した状態において凹部４８ｂに収納される。
【００９８】
第３の実施形態に係る光源装置１４の構成によれば、第１の実施形態に係る光源装置１０とほぼ同様の効果が得られる。また、流路４２ａ，４２ｂのうち開放された側の流路において、開閉機構がその流路に設けられた凹部に収納されるので、開閉機構により開放された側の流路の内径が狭くなることや、その流路を流通する冷却風の流れが妨げられることを抑えることができる。
【００９９】
以上、本発明の光源装置およびプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【０１００】
（変形例１）
第１の実施形態および第３の実施形態の光源装置の構成では、開閉機構が流路におけるリフレクターの上方および下方に位置する部分に配置された構成であったが、本発明はこの形態に限定されない。開閉機構が流路におけるリフレクターの側方に位置する部分に配置された構成であってもよい。
【０１０１】
図７は、変形例１に係る光源装置の概略構成を示す図である。なお、上記実施形態と共通する構成要素については、同一の符号を付しその説明を省略する。
【０１０２】
変形例１に係る光源装置１６は、図７に示すように、発光管２０と、リフレクター３０と、保持部材４０と、切替機構５０と、開閉機構５７ａ，５７ｂとを備えている。
【０１０３】
開閉機構５７ａ，５７ｂは、流路４２ａ，４２ｂにおけるリフレクター３０の側方に位置し重力方向に沿って延在する部分にそれぞれ設けられている。開閉機構５７ａ，５７ｂは、シャッター５８ａ，５８ｂとヒンジ５９ａ，５９ｂとで構成される。ヒンジ５９ａ，５９ｂは、流路４２ａ，４２ｂにおけるリフレクター３０側とは反対側の内壁に配置されている。シャッター５８ａ，５８ｂの長さは、流路４２ａ，４２ｂの延在方向と直交する方向における内径よりも大きく設定されている。
【０１０４】
シャッター５８ａ，５８ｂの板状の面が流路４２ａ，４２ｂにおけるヒンジ５９ａ，５９ｂが設けられた側の内壁に接した状態において、流路４２ａ，４２ｂが開放される。また、シャッター５８ａ，５８ｂの先端部が流路４２ａ，４２ｂにおけるヒンジ５９ａ，５９ｂが設けられた側とは反対側の内壁に接した状態において、流路４２ａ，４２ｂが閉塞される。切替機構５０のヒンジ５２は流路４２ａ，４２ｂのリフレクター３０側に配置されているのに対し、開閉機構５７ａ，５７ｂのヒンジ５９ａ，５９ｂはリフレクター３０側とは反対側の内壁に配置されているので、切替機構５０の隙間から冷却風が漏れても、流路４２ａ，４２ｂのうち下方側に位置する流路における冷却風の流通をより抑えることができる。
【０１０５】
光源装置１６では、シャッター５８ａ，５８ｂの長さが流路４２ａ，４２ｂの延在方向と直交する方向における内径よりも大きいので、流路４２ａ，４２ｂが重力方向に沿って延在していても、上下反転動作に伴う重力作用によってシャッター５８ａ，５８ｂを回動させて流路４２ａ，４２ｂの開放および閉塞を行うことができる。このように、本発明を適用すれば、開閉機構の配置位置の自由度を高めることができる。なお、ヒンジ５９ａ，５９ｂが、流路４２ａ，４２ｂにおけるリフレクター３０側の内壁に配置された構成としてもよい。
【０１０６】
（変形例２）
上記実施形態のプロジェクターの構成では、光均一化光学系として第１レンズアレイおよび第２レンズアレイからなるレンズインテグレーター光学系を用いたが、本発明はこれに限定されるものではない。光均一化光学系として、例えば、導光ロッドからなるロッドインテグレーター光学系を用いることもできる。
【０１０７】
（変形例３）
上記実施形態におけるプロジェクターは透過型のプロジェクターであるが、本発明はこれに限定されるものではない。例えば、反射型のプロジェクターであってもよい。ここで、「透過型」とは、透過型の液晶装置等のように電気光学変調装置が光を透過するタイプであることを意味しており、「反射型」とは、反射型の液晶装置等のように電気光学変調装置が光を反射するタイプであることを意味している。反射型のプロジェクターに本発明を適用した場合にも、透過型のプロジェクターと同様の効果を得ることができる。  
【０１０８】
（変形例４）
上記実施形態におけるプロジェクターは３つの液晶装置を用いたプロジェクターであるが、本発明はこれに限定されるものではない。本発明は、例えば、１つ、２つまたは４つ以上の液晶装置を用いたプロジェクターにも適用することができる。
【０１０９】
（変形例５）
上記実施形態のプロジェクターの構成では、電気光学変調装置として液晶装置を用いているが、本発明はこれに限定されるものではない。電気光学変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【０１１０】
（変形例６）
本発明は、投写画像を観察する側から投写するフロント投写型プロジェクター、および、投写画像を観察する側とは反対の側から投写するリア投写型プロジェクターに適用することが可能である。
【０１１１】
（変形例７）
上記実施形態においては、本発明の光源装置をプロジェクターに適用した例について説明したが、本発明はこれに限定されるものではない。本発明の光源装置を、例えば、光ディスク装置等他の光学機器に適用することもできる。
【符号の説明】
【０１１２】
１０，１２，１４，１６…光源装置、２０…発光管、３０…リフレクター、４０，４０Ａ，４０Ｂ…保持部材、４１…吸気口、４２ａ，４２ｂ…一対の流路、４８ａ，４８ｂ…凹部、５０…切替機構、５３ａ，５３ｂ，５７ａ，５７ｂ…開閉機構、５１，５４ａ，５４ｂ，５８ａ，５８ｂ，７１，７２…シャッター、１００…照明装置、４００Ｒ，４００Ｇ，４００Ｂ…電気光学変調装置としての液晶装置、６００…投写レンズ、１０００…プロジェクター。
【図１】
2011203515.tif 000003
【図２】
2011203515.tif 000004
【図３】
2011203515.tif 000005
【図４】
2011203515.tif 000006
【図５】
2011203515.tif 000007
【図６】
2011203515.tif 000008
【図７】
2011203515.tif 000009